(57)【要約】【課題】光の漏れを防止できるキーボードアセンブリ及びそれを用いた携帯式電子装置を提供すること。【解決手段】本発明に係るキーボードアセンブリは、複数の押圧部が凸設されている軟質のゴム板と、前記押圧部に対応する複数の嵌合孔が形成されている透明な導光板と、前記導光板の周壁を包む不透光の遮光部材と、前記嵌合孔を貫いて突出する前記押圧部に当接されるキーボード板と、前記キーボード板と前記遮光部材との間に設置されるフレキシブル遮光体と、を備える。【選択図】図５
2011150995.tif 000002
【特許請求の範囲】
【請求項１】
複数の押圧部が凸設されている軟質のゴム板と、
前記押圧部に対応する複数の嵌合孔が形成されている透明な導光板と、
前記導光板の周壁を包む不透光の遮光部材と、
前記嵌合孔を貫いて突出する前記押圧部に当接されるキーボード板と、
前記キーボード板と前記遮光部材との間に設置されるフレキシブル遮光体と、
を備えることを特徴とするキーボードアセンブリ。
【請求項２】
前記フレキシブル遮光体は、弾性変形できる材質からなり、且つ前記キーボード板の周辺に粘着固定されることを特徴とする請求項１に記載のキーボードアセンブリ。
【請求項３】
前記フレキシブル遮光体の原始高さは、前記キーボード板と前記遮光部材との間の距離と等しいか、または前記キーボード板と前記遮光部材との間の距離より大きいであることを特徴とする請求項１に記載のキーボードアセンブリ。
【請求項４】
前記ゴム板、前記導光板及び前記遮光部材は、一体成型構造であることを特徴とする請求項１に記載のキーボードアセンブリ。
【請求項５】
ハウジングと、
前記ハウジング内に装着される回路基板と、
前記回路基板上に設置され、且つ請求項１乃至請求項４の何れの一項に記載のキーボードアセンブリと、
を備えることを特徴とする携帯式電子装置。
【発明の詳細な説明】
【技術分野】
【０００１】
本発明は、キーボードアセンブリに関し、特に携帯式電子装置に用いられるキーボードアセンブリに関するものである。
【背景技術】
【０００２】
携帯電話を暗い所でも使用するために、殆んどのキーボードアセンブリは照明機能を有する。即ち、携帯電話の印刷回路基板（ＰＣＢ）に光源とする発光ダイオード（ＬＥＤ）を設置して、対応する押しボタンを照射する。しかも、前記押しボタンの輝度を均一化にするために、通常、導光板を利用して前記発光ダイオードの点光源を面光源に変換してから、各々の押しボタンに光を伝送する。
【０００３】
しかし、通常、携帯電話のキーパッドとハウジングとの間には隙間が存在するため、前記発光ダイオードが発射した光は前記導光板を経由して発散された後、一部は前記隙間から漏れる。その結果、前記キーボードアセンブリの照明効果が損われる。
【発明の概要】
【発明が解決しようとする課題】
【０００４】
以上の問題点に鑑みて、本発明は、光の漏れを防止できるキーボードアセンブリ及びそれを用いた携帯式電子装置を提供することを目的とする。
【課題を解決するための手段】
【０００５】
上記の課題を解決するために、本発明に係るキーボードアセンブリは、複数の押圧部が凸設されている軟質のゴム板と、前記押圧部に対応する複数の嵌合孔が形成されている透明な導光板と、前記導光板の周壁を包む不透光の遮光部材と、前記嵌合孔を貫いて突出する前記押圧部に当接されるキーボード板と、前記キーボード板と前記遮光部材との間に設置されるフレキシブル遮光体と、を備える。
【０００６】
また、本発明に係る携帯式電子装置は、ハウジングと、前記ハウジング内に装着される回路基板と、前記回路基板上に設置されるキーボードアセンブリと、を備える。前記キーボードアセンブリは、複数の押圧部が凸設されている軟質のゴム板と、前記押圧部に対応する複数の嵌合孔が形成されている透明な導光板と、前記導光板の周壁を包む不透光の遮光部材と、前記嵌合孔を貫いて突出する前記押圧部に当接されるキーボード板と、前記キーボード板と前記遮光部材との間に設置されるフレキシブル遮光体と、を備える。
【発明の効果】
【０００７】
従来の技術と比べて、本発明に係るキーボードアセンブリにおいて、導光板の周壁を不透光の遮光部材が包み込むため、光源が発射した光が前記導光板の周壁から漏れることを防止することができる。同時に、前記キーボード板と遮光部材との間には弾性変形できるフレキシブル遮光体を有するため、光がキーボード板とハウジングとの隙間から漏れることも防止することができる。
【図面の簡単な説明】
【０００８】
【図１】本発明に係るキーボードアセンブリの分解図である。
【図２】図１に示したキーボードアセンブリの別の視点からの分解図である。
【図３】図１に示したキーボードアセンブリのゴム板、導光板及び遮光部材の組立て図である。
【図４】図１に示したキーボードアセンブリの組立図である。
【図５】図４に示したＶ−Ｖ線に沿うキーボードアセンブリの断面図である。
【図６】図５に示したＶＩ部のキーボードアセンブリの拡大図である。
【発明を実施するための形態】
【０００９】
本発明に係るキーボードアセンブリは、携帯電話、ＰＤＡなどのような携帯式電子装置に適用する。以下、携帯電話を例として説明する。
【００１０】
図１、図２及び図５を参照すると、本発明に係る携帯電話１００は、回路基板１０、キーボードアセンブリ２０及びハウジング３０を備える。前記キーボードアセンブリ２０は前記回路基板１０上に設置され、前記回路基板１０は前記ハウジング３０内に装着される。
【００１１】
前記回路基板１０には、複数の弧状のタッチ弾片１２及び複数の光源１３が設置されている。本実施形態において、前記光源１３は発光ダイオード（ＬＥＤ）である。
【００１２】
前記キーボードアセンブリ２０は、軟質のゴム板２１、透明な導光板２３、遮光部材２５、キーボード板２７及びフレキシブル遮光体２９を含む。
【００１３】
前記ゴム板２１は、前記回路基板１０に対面する第一表面２１１（図２を参照）及び前記第一表面２１１に対向する第二表面２１３を備える。前記第一表面２１１の前記タッチ弾片１２に対応する箇所には、複数の突起２１５が凸設されている。前記第二表面２１３の前記突起２１５に対向する箇所には、複数の押圧部２１７が凸設されている。前記ゴム板２１は、ポリアミド樹脂のような熱可塑性弾性ゴムからなる。
【００１４】
前記導光板２３は、略方形の板状体であり、その上には前記光源１３に対応して設けられた複数の光源孔２３１及び前記押圧部２１７に対応して設けられた複数の嵌合孔２３３を有する。前記光源孔２３１は前記光源１３を収納することに用いられ、前記嵌合孔２３３は前記押圧部２１７を嵌めることに用いられる。前記導光板２３の材料は、ポリ塩化ビニル（ｐｏｌｙｖｉｎｙｌｃｈｌｏｒｉｄｅ）、ポリカーボネート（ｐｏｌｙｃａｒｂｏｎａｔｅ）及びポリスチレン（ｐｏｌｙｓｔｙｒｅｎｅ）のような熱可塑性樹脂から選ばれる一種又は多種である。前記導光板２３は、前記遮光部材２５と互いに係合するための周壁２３５を備える。
【００１５】
前記遮光部材２５は、略方形のフレームであり、額縁２５２及び前記額縁２５２により取り囲まれて形成される収容部２５４を含む。前記収容部２５４の形状は前記導光板２３に該当し、前記収容部２５４のサイズは前記導光板２３よりやや大きい。前記収容部２５４は、前記導光板２３を収納する。前記遮光部材２５は、不透光の材料（例えば、黒い樹脂）からなる。図３に示すように、本実施形態において、前記ゴム板２１、前記導光板２３及び前記遮光部材２５は、一体成型構造である。前記導光板２３は前記ゴム板２１の第二表面２１３に結合され、前記光源１３は前記光源孔２３１内に収納され、前記押圧部２１７は前記嵌合孔２３３内に嵌められる。前記一体成型構造は、幾度かの射出により形成される。
【００１６】
図１及び図２に示すように、前記キーボード板２７は、対向する操作面２７１及び内表面２７３を備え、且つ前記押圧部２１７に対応して複数のキー模様（図示せず）が形成されている。ユーザーはこれらのキー模様を押して前記携帯電話１００を操作する。本実施形態において、前記キーボード板２７は主に金属材料からなる。
【００１７】
前記フレキシブル遮光体２９は、ほぼ「Ｕ」型部材であり、不透光且つ弾性変形できる材質からなる。本実施形態において、前記フレキシブル遮光体２９は、黒い発泡綿からなる。前記フレキシブル遮光体２９は、粘着剤などにより前記キーボード板２７の内表面２７３の周辺部位に粘着固定される。
【００１８】
図５及び図６に示すように、前記ハウジング３０は、前記キーボード板２７の外縁に組み合せる側壁３２を備える。前記側壁３２上には、前記キーボード板２７が押圧される時の行程を制限するための止め段差部３２２が形成されている。
【００１９】
図４乃至図６に示すように、組み立て後の前記携帯電話１００において、前記回路基板１０は前記ハウジング３０内に装着され、前記ゴム板２１、導光板２３及び遮光部材２５の一体構造体は前記回路基板１０上に設置される。前記ゴム板２１の突起部２１５は前記回路基板１０のタッチ弾片１２に当接され、前記光源１３は前記光源孔２３１内に収納され、前記押圧部２１７は前記嵌合孔２３３内に嵌められる。前記キーボード板２７を前記ゴム板２１、導光板２３及び遮光部材２５の一体構造体の上に被覆すると、前記押圧部２１７は前記キーボード板２７に当止され、前記キーボード板２７と前記側壁３２との間には隙間４０が形成される。前記フレキシブル遮光体２９は、前記キーボード板２７と前記遮光部材２５との間に位置し、且つ前記キーボード板２７と前記遮光部材２５とにそれぞれ接触する。しかも、前記フレキシブル遮光体２９の原始高さは前記キーボード板２７と前記遮光部材２５との間の間隔より大きいか又は等しい。
【００２０】
自然状態（押圧しない状態）において、前記キーボード板２７と前記止め段差部３２２との間には一定の距離が存在し、この距離は前記キーボード板２７の移動空間である。前記キーボード板２７を押圧すると、前記フレキシブル遮光体２９が圧縮変形されて、前記キーボード板２７は前記回路基板１０に向けて移動する。
【００２１】
なお、変更例として、前記ゴム板２１、前記導光板２３及び前記遮光部材２５は、分体構造であってもよい。あるいは、前記導光板２３と前記遮光部材２５とだけを一体成型してもよい。
【００２２】
本発明のキーボードアセンブリ２０において、前記導光板２３の周壁２３５には不透光の遮光部材２５が包まれるため、光源１３が発射した光は前記導光板２３の周壁２３５から漏れることが防止できる。同時に、前記キーボード板２７と前記遮光部材２５との間に弾性変形できるフレキシブル遮光体２９を有するため、光が前記キーボード板２７と前記ハウジング３０との隙間から漏れることも防止できる。
【００２３】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、いうまでもない。
【符号の説明】
【００２４】
１０      回路基板
１２      タッチ弾片
２０      キーボードアセンブリ
２１      ゴム板
２３      導光板
２５      遮光部材
２７      キーボード板
２９      フレキシブル遮光体
３０      ハウジング
３２      側壁
４０      隙間
１００    携帯電話
２１１    第一表面
２１３    第二表面
２１５    突起
２１７    押圧部
２３１    光源孔
２３３    嵌合孔
２３５    周壁
２５２    額縁
２５４    収容部
２７１    操作面
２７３    内表面
３２２    止め段差部
【図１】
2011150995.tif 000003
【図２】
2011150995.tif 000004
【図３】
2011150995.tif 000005
【図４】
2011150995.tif 000006
【図５】
2011150995.tif 000007
【図６】
2011150995.tif 000008